(57)【要約】      （修正有） 【課題】断熱性に優れ、しかも衝撃による破損も防止できる二重ガラス戸の雪囲い構造を提供する。【解決手段】縦方向の仕切りにより１０〜１５ｍｍ幅の中空部を複数本列設した透明なポリカーボネートからなる中空パネル５を四枠状のアルミ枠８に挿着し、上部と下部にビス留めしたZレール４で固定し、既設のガラス戸１の網戸レールに取り付ける。また、四枠状のアルミ枠８の周囲溝に召合せウェザーストリップ６を装着して区画された中空部空気層を密閉する。【選択図】図１
0003149124.tif 000002
【実用新案登録請求の範囲】
【請求項１】
既設のガラス戸の室外側全面に縦方向に複数に区画された透明又は半透明の中空パネルを脱着自在に取り付け、区画された各中空の空気層で断熱性を高めるようにした二重ガラス戸の雪囲い構造。
【請求項２】
中空パネルを四枠状のアルミ枠に挿着し、上部と下部にビス留めしたZレールで固定し、既設のガラス戸の網戸レールに取り付ける請求項１記載の二重ガラス戸の雪囲い構造。
【請求項３】
四枠状のアルミ枠の周囲溝に召合せウェザーストリップを装着して区画された中空部を密閉できるようにした請求項２記載の二重ガラス戸の雪囲い構造。
【請求項４】
中空パネルがポリカーボネートで構成されたものである請求項１〜３いずれか記載の二重ガラス戸の雪囲い構造。
【考案の詳細な説明】
【技術分野】
【０００１】
この考案は、建物などの既設のガラス戸に別体のパネルを脱着自在に取り付けて断熱性を向上させる二重ガラス戸の雪囲い構造に関する。
【背景技術】
【０００２】
従来、既設のガラス戸の網戸レールに別体のパネルを脱着自在に取り付けて断熱性を向上させる技術は実用新案文献１に開示され、実用新案文献２に登録されている。これらの技術は、網戸の網を透明樹脂製中空層断熱板若しくは透明フィルムに交換し断熱性を向上させることを特徴とするものである。
また、既設のガラス戸のガラス面に別体のパネルを脱着自在に取り付けて断熱性を向上させる技術は特許文献１、２に開示されている。これらの技術は、ガラス戸の寸法に相当するパネル本体と、パネル本体の一面に配設されるガラス戸に止着可能な金物を具備し、パネル本体の周囲をガラス戸に封止することで取り付けることを特徴とするものである。
【０００３】
ところで、前記構成の二重ガラス戸構造は、網戸の網を透明樹脂製中空層断熱板若しくは透明フィルムに交換し、網戸枠をフレームとして使用するため、風圧に耐える構造として十分な強度を有しない問題があった。また、既設のガラス戸のガラス面に別体のパネルを脱着自在に取り付けるには、引き違い戸が開閉可能な厚さ５ｍｍ以内が限度となり、寒冷地では断熱性が十分ではない問題があった。
【特許文献１】実開昭５８−１９０５９２号
【特許文献２】実登３００５８５５号
【特許文献３】特開２００６−２３３７３６号
【特許文献４】特開２００５−１５５２４３号
【考案の開示】
【考案が解決しようとする課題】
【０００４】
この考案が解決しようとする課題は、従来のこれらの問題点を解消し、断熱性に優れ、風圧に耐える構造を有する二重ガラス戸の雪囲い構造を提供することにある。
【課題を解決するための手段】
【０００５】
かかる課題を解決したこの考案の構成は、
１）  既設のガラス戸の室外側全面に縦方向に複数に区画された透明又は半透明の中空パネルを脱着自在に取り付け、区画された各中空部の空気層で断熱性を高めようとした二重ガラス戸の雪囲い構造。
２） 中空パネルを四枠状のアルミ枠に挿着し、上部と下部にビス留めしたZレールで固定し、既設のガラス戸の網戸レールに取り付ける前記１）記載の二重ガラス戸の雪囲い構造。
３）  四枠状のアルミ枠の周囲溝に召合せウェザーストリップを装着して区画された中空部を密閉できるようにした前記２）記載の二重ガラス戸の雪囲い構造。
４）  中空パネルがポリカーボネートで構成されたものである前記１）〜３）いずれか記載の二重ガラス戸の雪囲い構造。
【考案の効果】
【０００６】
この考案によれば、複数の中空部が空気層となり、既設のガラス戸とパネルとの間に形成した従来の空気層と比較して空気を良好に封止して断熱効果が高まる。また、四枠状のアルミ枠により網戸枠と比較して強度が向上し、風圧に耐える構造とした。さらに、既設のガラス戸のガラス面に別体のパネルを脱着自在に取り付けるには、引き違い戸が開閉可能な厚さ５ｍｍ以内が限度となり、寒冷地では断熱性が十分ではなかったが、厚さ１０ｍｍ使用可能な構造として断熱性を向上させた。
【考案を実施するための最良の形態】
【０００７】
この考案の中空パネルとしては、複数の細長の中空部を縦方向に列設したものがある。一般的に透明のものを用いるが、必要に応じて半透明や着色透明のものを用いてもよい。材料はポリカーボネートやアクリル樹脂、塩化ビニル樹脂などがあるが、高強度を有し紫外線を通しにくいポリカーボネートが実用的である。
【０００８】
四枠状のアルミ枠の上部と下部にビス留めしたZレールで固定し、既設のガラス戸の網戸レールに取り付ける。また、四枠状のアルミ枠の周囲溝に召合せウェザーストリップを装着して区画された中空部を密閉できるようにして断熱効果を高めることができる。また、中空パネルの厚さ１０ｍｍを使用可能な構造にすると、断熱性がさらに向上する。以下、この考案の実施例を図面に基づいて具体的に説明する。
【実施例１】
【０００９】
図１〜３に示す実施例は、戸建住宅のサッシガラス戸の網戸レールに、中空パネルを四枠状のアルミ枠に挿着し、上部と下部にビス留めしたZレールで固定し、周囲溝に召合せウェザーストリップを装着して区画された中空部を密閉できるようにした二重ガラス戸の雪囲い構造とした例である。図１は実施例の二重ガラス戸の雪囲いの正面図、図２は図１のA−B断面図、図３は図１のC−D断面図である。
【００１０】
図中、１はサッシガラス戸、２aは網戸レール、２bはサッシ縦枠、３はサッシガラス、４はZレール、５は中空パネル、５aは仕切り、５bは中空部、６は召合せウェザーストリップ、７は空気層、８はアルミ枠である。
【００１１】
本実施例の中空パネル５は、図２、３に示すように厚さ１０ｍｍで縦方向の仕切り５aにより１０〜１５ｍｍ幅の中空部５ｂを複数本列設した透明なポリカーボネート製のパネルである。
【００１２】
この中空パネル５を四枠状のアルミ枠８に挿着し、上部と下部にビス留めしたZレール４で固定し、既設のガラス戸１の網戸レール２aに取り付ける。また、四枠状のアルミ枠８の周囲溝に召合せウェザーストリップ６を装着して区画された中空部空気層７を密閉する。
【００１３】
本実施例はこのように構成したから、複数の中空部５bに空気が良好に封止されて極めて高い断熱効果が得られる。また、一方向に列設した中空部５bにより曲げに対する強度があり、耐衝撃性に優れた二重ガラス戸の雪囲い構造となった。
【産業上の利用可能性】
【００１４】
この考案の二重ガラス戸の雪囲い構造は、戸建住宅や集合住宅、店舗等の窓等に利用できる。
【図面の簡単な説明】
【００１５】
【図１】実施例の二重ガラス戸の雪囲いの正面図である。
【図２】図１のA−B断面図である。
【図３】図１のC−D断面図である。
【符号の説明】
【００１６】
１   サッシガラス戸
２a  網戸レール
２ｂ サッシ縦枠
３   サッシガラス
４   Zレール
５   中空パネル
５a  仕切り
５b  中空部
６   召合せウェザーストリップ
７   空気層
８   アルミ枠
【図１】
0003149124.tif 000003
【図２】
0003149124.tif 000004
【図３】
0003149124.tif 000005